(57)【要約】【課題】  互いに情報伝達が可能で、唯一に対応付けられている技術的保証を備えた腕時計の対を提供する。【解決手段】  腕時計１ａは、スイッチ２ｃ１乃至２ｃへの操作に応じてＬＥＤ２ｅ１乃至２ｅ３を点灯させるとともに、制御データを生成し、これに自己の認識番号を付加して送信データちとして暗号化して送信データを無線送信する。腕時計１ｂは送信データを復号化してこれに含まれる認識番号を確認し、自己の対となる腕時計１ａからの送信データであることを確認して送信データに含まれる制御データに従ってＬＥＤ２ｅ１乃至２ｅ３を点灯させる。腕時計１ａ、１ｂは、認識番号等により、互いに唯一に対応付けられていることの技術的保証がされる。【選択図】  図２
2008215987.tif 000002
【特許請求の範囲】
【請求項１】
無線通信機能を備えた腕時計であって、
操作に応じた操作信号を出力する操作部と、
前記操作信号に応じた表示状態を呈する表示部と、
前記操作信号を無線で送受信する通信部と、
特定の前記腕時計との間で前記操作信号を通信するため、当該通信の相手と自己とを特定する認識情報を格納する記憶部と、
前記認識情報に基づいて、前記通信部の通信時には、前記操作信号に自己を特定可能とする処理を施して前記通信部に送信させるとともに、前記通信部が受信した信号が前記特定の腕時計からの前記操作信号であると判別するときには当該操作信号に応じた表示状態を前記表示部に表示せしめる制御部と、
を備えたことを特徴とする腕時計。
【請求項２】
自己の前記操作信号を暗号化して前記通信部から送信するための暗号鍵と、前記通信部で受信した相手の前記腕時計で暗号化された前記操作信号を復号するための復号鍵とを記憶した暗号処理部を備え、
前記制御部は、前記暗号処理部に前記暗号鍵を用いて自己の前記操作信号を暗号化させて前記通信部から送信させ、前記通信部で受信した信号を前記暗号処理部に前記復号鍵を用いて復号化させて前記操作信号を取得する
ことを特徴とする請求項１に記載の腕時計。
【請求項３】
特定の時刻源で計時される時刻に基づく時刻情報を含む電波を受信して自己の計時する時刻を前記時刻源の計時する時刻に同期させる機能を備え、
前記暗号処理部は、暗号鍵と復号鍵との組を複数記憶し、
前記制御部は、前記暗号処理部に時刻に応じて前記暗号鍵と復号鍵との組を切り換えて使用させる
ことを特徴とする請求項２に記載の腕時計。
【請求項４】
前記記憶部に格納される前記認識情報は製造時に書き込まれることを特徴とする請求項１乃至請求項３の内いずれかに１記載の腕時計。
【発明の詳細な説明】
【技術分野】
【０００１】
本発明は一対の腕時計に関し、特に相互に情報伝達が可能な腕時計に関するものである。
【背景技術】
【０００２】
現在、デザインに統一感を持たせた一対の腕時計、ペアウォッチと称されるものが市販されている。これは、一組の使用者がそれぞれの腕時計を身につけることで互いを意識することができ、一組の使用者に互いの絆を再確認させるという効果を期待されたものである。また、一対の腕時計の一方を自ら使用し、他方を相手に贈って親愛の情を示すこともあり、このような一対の腕時計はコミュニケーションツールともいえる。
【０００３】
また、通信機能を備えた腕時計の形態を取った端末が試みられている。例えば、特許文献１に開示される技術は、一対の腕時計に互いに信号を無線で通信する機能を持たせて、受信した信号のレベルに基づいて腕時計間の距離を特定し、特定した距離が設定距離よりも大きいときに各腕時計で警報を発するというもので、例えば、迷子防止等に利用されるものである。
【０００４】
また、特許文献２に開示される技術は、不特定多数の腕時計に情報を無線で送受信する機能を持たせて、腕時計を携帯した者に、周囲に特定の情報を送信する腕時計を携帯した不特定の者がいるか否かを確認可能とし、その不特定の者に特定の情報を送信可能とするというものである。
【０００５】
また、現在、独立行政法人情報通信研究機構により長波帯標準電波(以下、標準電波という)に重畳して日本標準時を含む時刻情報が提供され、この標準電波を受信し時刻情報を取得して時刻修正を行う電波修正時計が市販されている。例えば、特許文献３に開示されるように、電波修正時計には腕時計の形態を取ったものもある。
【特許文献１】特許第３０２５６７９号公報
【特許文献２】特開２００２−１６４８０９号公報
【特許文献３】特開２００２−２１４３６７号公報
【発明の開示】
【発明が解決しようとする課題】
【０００６】
ペアウォッチといっても、これら一対の腕時計が唯一に対応付けられているという技術的保証はされていない。また、通常のペアウォッチでは、腕時計自体を贈ることでコミュニケーションがなされることがあっても、腕時計の機能によりコミュニケーションを行うようなものではなく、一組の使用者を親密にさせることに利用可能な特別の機能を備えているということもない。一組の使用者に互いの絆を再確認させるという効果が期待される商品性からすれば、今一歩である。
【０００７】
また、特許文献１に記載される腕時計及び特許文献２に記載される腕時計も、任意の情報を通信する機能はない。
【０００８】
また、携帯電話機によるコミュニケーションが普及しているが、携帯電話機のメール機能では入力操作が煩雑であり、通話では周囲の迷惑となる虞がある。また、目の届く範囲の相手に簡単な意思疎通がとれればいいような場合に携帯電話機を使用するのは面倒なことである。また、混み合った電車内などでは、通話内容またはメールの内容が周囲の者に知られる場合もある。また、マナー面から携帯電話機を使用できない場合もある。
【０００９】
そこで、本発明の目的は、一対の腕時計が互いに唯一に対応付けられているという技術的保証を確保するとともに、そのような腕時計間で簡単な操作により任意の意思疎通が可能な秘匿性の高い情報通信を可能として、高付加価値の一対の腕時計を提供することにある。
【課題を解決するための手段】
【００１０】
上記目的を達成するため、本発明の腕時計は、
無線通信機能を備えた腕時計であって、
操作に応じた操作信号を出力する操作部と、
前記操作信号に応じた表示状態を呈する表示部と、
前記操作信号を無線で送受信する通信部と、
特定の前記腕時計との間で前記操作信号を通信するため、当該通信の相手と自己とを特定する認識情報を格納する記憶部と、
前記認識情報に基づいて、前記通信部の通信時には、前記操作信号に自己を特定可能とする処理を施して前記通信部に送信させるとともに、前記通信部が受信した信号が前記特定の腕時計からの前記操作信号であると判別するときには当該操作信号に応じた表示状態を前記表示部に表示せしめる制御部と、
を備えたことを特徴とする。
【００１１】
このような本発明の腕時計において、
自己の前記操作信号を暗号化して前記通信部から送信するための暗号鍵と、前記通信部で受信した相手の前記腕時計で暗号化された前記操作信号を復号するための復号鍵とを記憶した暗号処理部を備え、
前記制御部は、前記暗号処理部に前記暗号鍵を用いて自己の前記操作信号を暗号化して前記通信部から送信させ、前記通信部で受信した信号を前記暗号処理部に前記復号鍵を用いて復号化させて前記操作信号を取得する
ことが好ましい。
【００１２】
また、このような本発明の腕時計において、
特定の時刻源で計時される時刻に基づく時刻情報を含む電波を受信して自己の計時する時刻を前記時刻源の計時する時刻に同期させる機能を備え、
前記暗号処理部は、暗号鍵と復号鍵との組を複数記憶し、
前記制御部は、前記暗号処理部に時刻に応じて前記暗号鍵と復号鍵との組を切り換えて使用させる
ことも好ましい。
【００１３】
また、このような本発明の腕時計において、
前記記憶部に格納される前記認識情報は製造時に書き込まれる
ことも好ましい。
【発明の効果】
【００１４】
本発明の腕時計によれば、一対の腕時計が互いに唯一に対応付けられているという技術的保証を確保することができるとともに、そのような腕時計間で簡単な操作により任意の意思疎通が可能な秘匿性の高い情報通信が可能となり、ひいては高付加価値の一対の腕時計を提供することが可能となる。
【発明を実施するための最良の形態】
【００１５】
以下、本発明の好適な実施の形態を図面を参照して説明する。
【００１６】
図１は、この発明の実施形態に適用されるペアウォッチとしての腕時計１の回路構成を示すブロック図である。図２は、図１に示す腕時計１の外観を示す図である。同図の腕時計１ａ、１ｂが図１の腕時計１であり、また、これら腕時計１ａ、１ｂから一対の腕時計、所謂ペアウォッチを構成した様を示している。
【００１７】
図１に示すように腕時計１は、時計機械体２ａと、ＲＴＣ（Real Time Clock）２ｂと、操作部２ｃと、ＶＬＦ（Very Low Frequency）受信ブロック２ｄと、表示部２ｅと、報知部２ｆと、ＣＰＵ（Central Processing Unit）３ａと、ＲＡＭ（Random Access Memory）３ｂと、ＲＯＭ（Read Only Memory）３ｃと、バス３ｄと、暗号処理部４ａと、無線送受信ブロック４ｂと、を備える。後述するように腕時計1は、電波修正時計としての機能を備える。
【００１８】
時計機械体２ａは、図示しないが、時針、分針の駆動用のモータと、秒針の駆動用のモータと、これらモータの回転を減速して時針、分針、秒針を駆動するための輪列と、時針、分針、秒針の位置を検出するためのそれぞれのセンサと、各モータ、各センサのそれぞれを駆動するそれぞれの駆動回路と、を備える。これら駆動回路は、通常の時刻表示の際にはＲＴＣ２ｂの計時する時刻と同期して時針、分針、秒針を駆動する。これら駆動回路は図示しないインターフェース回路及びバス３ｄを介してＣＰＵ３ａと接続され、時刻修正の際にはＣＰＵ３ａの指令する目的の時刻に応じて時針、分針、秒針を目的の時刻を示す位置まで早送りして時刻修正をする。時針、分針、秒針の位置は輪列の回転に応じて出力されるセンサからの信号をカウントして特定される。このような時針、分針、秒針の位置検出のための構成は、輪列にロータリーエンコーダを組み込んだ類の構成、例えば、上述の特許文献３に開示されるような構成であればよい。
【００１９】
ＲＴＣ２ｂは、カレンダー機能を備え、内部時計として年、月、時、分、秒、曜日を含む時刻データを計時する。ＲＴＣ２ｂは、図示しないインターフェース回路及びバス３ｄを介してＣＰＵ３ａと接続され、ＣＰＵ３ａとの間で時刻データを交換する。
【００２０】
操作部２ｃは、図２に示すように複数のスイッチ２ｃ１乃至２ｃ４と、図示しないが、これらの押下げ等の操作状態を検知するそれぞれのセンサと、センサそれぞれの駆動回路と、を備える。これら駆動回路は図示しないインターフェース回路及びバス３ｄを介してＣＰＵ３ａと接続され、スイッチ２ｃ１乃至２ｃ４の操作状態を示す信号（以下、操作信号という）をＣＰＵ３ａに出力する。
【００２１】
ＶＬＦ受信ブロック２ｄは、標準電波を受信し、復調して得た受信データをＣＰＵ３ａに出力するものである。このため、ＶＬＦ受信ブロック２ｄは、図示しないインターフェース回路及びバス３ｄを介してＣＰＵ３ａに接続される。なお、本発明は、ＶＬＦ受信ブロック１ａに限らず、標準電波に限らず時刻情報を重畳した電波、例えば、米国のＷＷＶＢ等を受信可能な受信装置を備えるような構成であればよい。
【００２２】
表示部２ｅは、図２に示すように腕時計１の文字板に配置されたＬＥＤ（Light Emitting Diode）２ｅ１乃至２ｅ３と、それぞれの駆動回路と、を備える。これらＬＥＤ２ｅ１乃至２ｅ３のそれぞれの駆動回路は、図示しないインターフェース回路及びバス３ｄを介してＣＰＵ３ａと接続され、ＣＰＵ３ａの指令に応じてＬＥＤ２ｅ１乃至２ｅ３は点灯される。ＬＥＤ２ｅ１、2ｅ２、２ｅ３の点灯時の色はこの順に緑、黄色、赤としてある。
【００２３】
報知部２ｆは、アラーム機能と称される目的の時刻、すなわち、アラーム時刻となったことを音響や振動などで報知する機能のためのものである。報知部２ｆは、報音部２ｆ１と、振動部２ｆ２と、を備える。
【００２４】
報音部２ｆ１は、図示しないが、メロディ回路と、メロディ回路から出力される音響信号を音響として出力するスピーカーと、を備える。メロディ回路は、図示しないインターフェース回路及びバス３ｄを介してＣＰＵ３ａと接続され、ＣＰＵ３ａの指令に従い目的のアラーム音の音響信号を出力する。
【００２５】
振動部２ｆ２は、図示しないが、振動モータと、その駆動回路と、を備える。振動モータの駆動回路は、図示しないインターフェース回路及びバス３ｄを介してＣＰＵ３ａと接続され、ＣＰＵ３ａの指令に従い振動モータを駆動する。この振動により、腕時計１を装着した使用者にアラーム時刻となったこと等を報知する。
【００２６】
ＣＰＵ３ａは、図示しないインターフェース回路及びバス３ｄを介して腕時計１の他の回路要素と接続し、ＲＡＭ３ｂ及びＲＯＭ３ｃと協働して腕時計１の制御を司る。ＲＡＭ３ｂは各制御処理の作業領域となり、ＲＯＭ３ｃは各制御処理のためのプログラムを格納するとともに、自己と、対となる相手と、を特定するための認識情報、例えば、認識番号を格納する。このようなプログラム及び認識情報は腕時計１の製造時にＲＯＭ３ｃに書き込まれる。
【００２７】
ＣＰＵ３ａの実行する主な制御処理としては、時刻修正処理と、スイッチ操作に応じた各種の制御処理と、通信制御機能と、がある。
【００２８】
時刻修正処理の一つは、ＶＬＦ受信ブロック２ｄを用いて標準電波から時刻情報を取得し、この時刻情報に基づいてＲＴＣ２ｂの計時する時刻を日本標準時に同期させるもので、電波修正時計としての機能である。この処理は次のようなものである。
【００２９】
ＣＰＵ３ａは、ＶＬＦ受信ブロック２ｄからの受信データを処理して標準電波にタイムコードとして重畳される時刻情報を特定し、取得する。ＣＰＵ３ａは、所得した時刻情報に基づいてＲＴＣ２ｂの計時する時刻情報を書換え、標準電波のタイムコードのビットの立ち上がりを特定してこれを秒の同期信号としてＲＴＣ２ｂの計時を開始させることにより、ＲＴＣ２ｂの計時する時刻を日本標準時に同期させる。これとともに、ＣＰＵ３ａは、時計機械体２ａの駆動回路を制御し、センサの出力に基づいて時針、分針、秒針の位置を検出しつつ、目的の時刻を示す位置まで時針、分針等を移動させて時計機械体２ａの表示する時刻を修正する。
【００３０】
この他の時刻修正処理としては、使用者のリューズ操作に基づく時刻修正処理である。図２のスイッチ２ｃ２は、腕時計１の側面に向かって押下げが可能な他、リューズ２ｃ２０と一体になっており、腕時計１の側面から伸びる軸周りに回転可能で、この軸方向にリューズ２ｃ２０を引き出して軸周りに回転させることも可能に構成しある。図示しないがこの軸にはギアが設けられ、このギアはリューズ２ｃ２０を引き出した状態で図示しない時計機械体２ａの輪列内のギアと噛合し、リューズを回転させることで時針、分針を移動させることができる。スイッチ２ｃ２に対応するセンサは、リューズ２ｃ２０が引き出された状態を示す信号、リューズ２ｃ２０が元の位置に戻されたことを示す信号をバス３ｄを介してＣＰＵ３ａに出力する構成となっている。
【００３１】
リューズ操作に基づく時刻修正処理は次の通りである。通常モードにおいて、ＣＰＵ３ａは、リューズ２ｃ２０が引き出された状態を示す信号を受けると、時計機械体２ａの時針、分針、秒針の駆動回路に駆動を停止させる。ＣＰＵ３ａは、この間もリューズ２ｃ２０の回転、すなわち、輪列の回転に応じて増減するセンサの出力に基づいて時針、分針の位置を特定しており、リューズ２ｃ２０が元に戻されたことを示す信号を受けると、時計機械体２ａの時針、分針、秒針の駆動回路に駆動を再開させるとともに、時針、分針の位置に対応した時刻情報を特定して、ＲＴＣ２ｂの計時する時刻情報を書き換えて内部時計の時刻情報を修正する。
【００３２】
スイッチ操作に応じた各種の制御処理としては、次の通りである。
【００３３】
腕時計１では、アラーム時刻の報知は、報音部２ｆ１による報音、振動部２ｆ２による振動、表示部２ｅのＬＥＤの点灯のいずれかまたはこれらの組み合わせで行う構成としてある。例えば、図３に示すように通常モードでは、スイッチ２ｃ１を２秒未満押下げるたびに、報知のための設定を、報音、振動、点灯の順に循環的に切り換える構成としてある。スイッチ２ｃ１が押下げられると、スイッチ２ｃ１に対応するセンサは押下状態を示す信号を図示しないインターフェース回路及びバス３ｄを介してＣＰＵ３ａに送る。ＣＰＵ３ａはこの信号の持続が２秒未満であると、報知のための設定を切り換えるのである。ＣＰＵ３ａは、同様の処理により、スイッチ２ｃ１が２秒以上３秒未満押下げられると報知のための設定を報音及び振動とし、スイッチ２ｃ１が３秒以上押下げられると報知のための設定を報音、振動、点灯の総てとする。
【００３４】
また、ＣＰＵ３ａは、同様の処理により、報知部２ｆや表示部２ｅによるアラームの報知がされているときに、スイッチ２ｃ２が２秒未満押下げられると報知動作を停止させる。
【００３５】
また、ＣＰＵ３ａは、スイッチ２ｃ２が２秒以上３秒未満押下げられるとアラーム機能を有効にする（セットする）か、無効にする（リセットする）かの設定を切り替える。
【００３６】
また、ＣＰＵ３ａは、スイッチ２ｃ２が３秒以上押下げられるとアラーム時刻の設定モードとする、言い換えれば、セットする。ＣＰＵ３ａは、設定モードにおいてＬＥＤ２ｅ３を点滅させて設定モードである旨を表示させるとともに、時針、分針、秒針の駆動を停止させる。この設定モードにおいて、使用者は、リューズ２ｃ２０を引き出し、回転することで時針、分針を目的のアラーム時刻にあわせる。ＣＰＵ３ａは、リューズ２ｃ２０の操作により移動される時針、分針の位置を上述したリューズ操作に基づく時刻修正処理と同様に特定し、リューズ２ｃ２０が元の位置に戻されると、そのときの時針、分針の位置に対応した時刻情報を特定する。ＣＰＵ３ａは、次にスイッチ２ｃ２が３秒以上押下げられるとアラーム時刻の設定モードを解除し、言い換えれば、リセットし、特定した時刻情報をアラーム時刻として設定する。ＣＰＵ３ａは、アラーム時刻の設定モードを解除するとともに、ＲＴＣ２ｂの計時する内部時刻に基づいて時針、分針を現在の時刻を示す位置に移動させ、時針、分針、秒針の駆動を再開させる。
【００３７】
また、ＣＰＵ３ａは、スイッチ２ｃ３が３秒以上押下げられると、アラーム音の視聴モードとする。ＣＰＵ３ａは、ＬＥＤ２ｅ１乃至２ｅ３の点灯により、現在設定されているアラーム音を表示する。例えば、ＬＥＤ２ｅ１乃至２ｅ３を２進数の各桁に割り当て、点灯状態を“１”、消灯状態を“０”として１番（００１番）から７番（１１１番）のアラーム音のいずれが設定されているかを示す。また、リューズ２ｃ２０の軸には、図示しないロータリーエンコーダが設けられており、使用者がリューズ２ｃ２０を引き出さずに回すと、ロータリーエンコーダから回転量に応じた信号がＣＰＵ３ａに送られる。ＣＰＵ３ａは、回転量に応じて１番から７番のアラーム音を巡回的に選択するとともに、ＬＥＤ２ｅ１乃至２ｅ３に選択状態を表示させる。このとき、使用者によりスイッチ２ｃ３が2秒未満押下げられると、ＣＰＵ３ａは、報音部２ｆに選択されているアラーム音を報音させる。スイッチ２ｃ３が２秒以上３秒未満押下げられると、ＣＰＵ３ａは、報音部２ｆに選択されているアラーム音を報音させるとともに、このアラーム音をアラーム時刻に報音させるものとして設定する。ＣＰＵ３ａは、視聴モードにおいてスイッチ２ｃ３が３秒以上押下げられると、アラーム音の視聴モードを解除する、言い換えれば、リセットする。
【００３８】
また、通常モードにおいて、スイッチ２ｃ３が2秒未満押下げられると、ＣＰＵ３ａは、報音部２ｆに設定されているアラーム音を報音させる。
【００３９】
また、通常モードにおいて、スイッチ２ｃ４が2秒未満押下げられると、ＣＰＵ３ａは、時刻精度をＬＥＤ２ｅ１乃至２ｅ３の点灯により表示する。ＬＥＤ２ｅ１、2ｅ２、２ｅ３の点灯時の色は順に緑、黄色、赤としてあり、標準電波による時刻修正からの経過時間に従って緑、黄色、赤と点灯させるＬＥＤを選択する。例えば、経過時間が１２時間未満であれば緑のＬＥＤ２ｅ１を点灯させ、経過時間が１２時間以上２４時間未満であれば黄色のＬＥＤ２ｅ２を点灯させ、経過時間が２４時間以上であれば赤色のＬＥＤ２ｅ３を点灯させる。
【００４０】
また、ＣＰＵ３ａは、通常モードにおいて、スイッチ２ｃ４が２秒以上３秒未満押下げられると、後述する通信モードとする。
【００４１】
また、ＣＰＵ３ａは、通常モードにおいて、スイッチ２ｃ４が３秒以上押下げられると、ＶＬＦ受信ブロック２ｄに標準電波の受信動作をさせて、上述の標準電波に基づく時刻修正処理を実行する。
【００４２】
ＣＰＵ３ａは、図４に示すように、通信モードにおいて、スイッチ２ｃ１乃至２ｃ３の内のいずれか一つまたは複数が組み合わせられて２秒未満押下げられている間、対応するＬＥＤを点灯させる。スイッチ２ｃ１はＬＥＤ２ｅ１に対応し、スイッチ２ｃ２はＬＥＤ２ｅ２に対応し、スイッチ２ｃ３はＬＥＤ２ｅ３に対応する。ＣＰＵ３ａは、このような制御処理を対となる腕時計１に反映させる制御データを後述する送信処理により無線送受信ブロック４ｂに送信させる。この制御データを受信した腕時計１のＣＰＵ３は同様の点灯状態となるように表示部２ｅを制御する。これにより、例えば、腕時計１ａを装着した使用者は、腕時計１ｂを装着した使用者に対し、使用者間でＬＥＤの点灯状態が示す内容を申し合わせておくことにより、簡単な意思の疎通を取ることが可能となっている。
【００４３】
ＣＰＵ３ａは、図４に示すように、通信モードにおいて、スイッチ２ｃ１乃至２ｃ３の内のいずれか一つまたは複数が組み合わせられて２秒以上３秒未満押下げられると、対応するＬＥＤを所定期間点滅させる。例えば、押下げ開始後の２秒から押下げ終了後の１秒間だけ点滅させる。この場合も、スイッチ２ｃ１はＬＥＤ２ｅ１に対応し、スイッチ２ｃ２はＬＥＤ２ｅ２に対応し、スイッチ２ｃ３はＬＥＤ２ｅ３に対応し、ＣＰＵ３ａは、このような制御処理を対となる腕時計１に反映させる制御データを後述する送信処理により無線送受信ブロック４ｂに送信させる。この場合も受信側の腕時計１のＣＰＵ３は同様の点灯状態となるように表示部２ｅを制御する。
【００４４】
ＣＰＵ３ａは、図４に示すように、通信モードにおいて、スイッチ２ｃ４が２秒未満押下げられると、振動部２ｆ２を振動させるとともに、このような制御処理を対となる腕時計１に反映させる制御データを後述する送信処理により無線送受信ブロック４ｂに送信させる。受信側の腕時計１のＣＰＵ３は振動部２ｆ２を振動させる。
【００４５】
また、ＣＰＵ３ａは、図４に示すように、通信モードにおいて、スイッチ２ｃ２が３秒以上押下げられると、対となる腕時計１を装着した相手に目的の時刻を通知するモードとする、言い換えれば、セットする。この時刻通知モードでは、アラーム時刻の設定モードと同様にして使用者はリューズを引き出して回転操作することにより目的の時刻を指定する。ＣＰＵ３ａは、リューズ２ｃ２０の操作により移動される時針、分針の位置を上述したリューズ操作に基づく時刻修正処理と同様に特定し、リューズ２ｃ２０が元の位置に戻されると、そのときの時針、分針の位置に対応した時刻情報を特定する。ＣＰＵ３ａは、次にスイッチ２ｃ２が３秒以上押下げられると時刻通知モードを解除し、言い換えれば、リセットし、特定された目的の時刻を示す制御データを後述する送信処理により無線送受信ブロック４ｂに対となる腕時計１に送信させる。後述するように受信側の腕時計１のＣＰＵ３は目的の時刻を表示するように時計機械体２ａを制御する。これにより、腕時計１ａを装着した使用者は、腕時計１ｂを装着した使用者に対し、例えば、待ち合わせ時間等の目的の時刻を通知することが可能となっている。また、ＣＰＵ３ａは、このモードを解除するとともに、ＲＴＣ２ｂの計時する内部時刻に基づいて時針、分針を現在の時刻を示す位置に移動させ、時針、分針、秒針の駆動を再開させる。
【００４６】
また、ＣＰＵ３ａは、図４に示すように、通信モードにおいて、スイッチ２ｃ３が３秒以上押下げられると、対となる腕時計１を装着した相手にアラーム音によりコミュニケーションをとるモードとする、言い換えれば、セットする。このアラーム音通知モードでは、ＣＰＵ３ａは、上述のアラーム音の視聴モードと同様にリューズ２ｃ２０が回転操作に応じて選択されるアラーム音をＬＥＤ２ｅ１乃至２ｅ３の点灯により表示する。このモードにおいて、スイッチ２ｃ３が２秒未満押下げられると、ＣＰＵ３ａは、報音部２ｆに選択されているアラーム音を報音させる。このモードにおいて、スイッチ２ｃ３が２秒以上３秒未満押下げられると、ＣＰＵ３ａは、報音部２ｆに選択されているアラーム音を報音させるとともに、選択されているアラーム音の番号を含む制御データを後述する送信処理により無線送受信ブロック４ｂに送信させる。受信側の腕時計１のＣＰＵ３は、報音部２ｆ１に受信した番号で特定されるアラーム音を報音させる。前提として、互いに対となる腕時計１、例えば腕時計１ａ、１ｂでは、同様のアラーム音を報音部２ｆ１の図示しないメロディデータ格納用のＲＯＭに同じ番号で格納してある。腕時計１ａ、１ｂの使用者は、アラーム音が示す内容を申し合わせておくことにより、簡単な意思の疎通を取ることが可能となっている。このモードにおいて、スイッチ２ｃ３が３秒以上押下げられると、ＣＰＵ３ａは、アラーム音通知モードを解除する、言い換えればリセットする。
【００４７】
ＣＰＵ３ａは、図４に示すように、通信モードにおいて、スイッチ２ｃ４が２秒以上押下げられると、通信モードを解除して通常モードとする。
【００４８】
ＣＰＵ３ａのスイッチ操作に応じた制御処理は以上の通りであり、通信制御処理については後述する。
【００４９】
暗号処理部４ａは、互いに対となる腕時計１ａ、１ｂの間で通信されるデータを暗号化するものである。
【００５０】
暗号処理部４ａは、図５に示すような暗号鍵、復号鍵を格納する図示しないＲＯＭを備える。腕時計１ａの暗号処理部４ａは、ｉ個の暗号鍵Ｅｎ−ａ−１乃至Ｅｎ−ａ−ｉと、ｉ個の復号鍵Ｄｅ−ａ−１乃至Ｄｅ−ａ−ｉと、を格納する。腕時計１ｂの暗号処理部４ａは、ｉ個の暗号鍵Ｅｎ−ｂ−１乃至Ｅｎ−ｂ−ｉと、ｉ個の復号鍵Ｄｅ−ｂ−１乃至Ｄｅ−ｂ−ｉと、を格納する。ここで、ｉは２以上の自然数で適当な個数であればよい。腕時計１ａの暗号鍵Ｅｎ−ａ−１乃至Ｅｎ−ａ−ｉと、腕時計１ｂの復号鍵Ｄｅ−ｂ−１乃至Ｄｅ−ｂ−ｉと、がそれぞれ鍵ペアａ１乃至ａｉとなる。腕時計１ｂの暗号鍵Ｅｎ−ｂ−１乃至Ｅｎ−ｂ−ｉと、腕時計１ａの復号鍵Ｄｅ−ａ−１乃至Ｄｅ−ａ−ｉと、がそれぞれ鍵ペアｂ１乃至ｂｉとなる。例えば、鍵ペアａ１については、暗号鍵Ｅｎ−ａ−１で暗号化されたデータは復号鍵Ｄｅ−ｂ−１で復号化することができ、鍵ペアｂ１については、暗号鍵Ｅｎ−ｂ−１で暗号化されたデータは復号鍵Ｄｅ−ａ−１で復号化することができる。
【００５１】
また、暗号処理部４ａの図示しないＲＯＭは、時刻に応じて何れの鍵ペアを使用するかを示すスケジュールを格納する。図６に示すように例えば２４時間を鍵ペアの個数ｉに相当するｉ個の時間帯に分けて各時間帯に使用する鍵ペアをスケジュールＳ０、Ｓ１というように複数格納する。図６のスケジュールＳ０は、１番の時間帯では鍵ペアａ１と鍵ペアｂ１とを使用し、２番の時間帯では鍵ペアａ２と鍵ペアｂ２とを使用し、３番の時間帯では鍵ペアａ３と鍵ペアｂ３とを使用し、順次時間帯の番号と鍵ペアの番号とを同一としてスケジュールを組んである。このスケジュールＳ０は初期値として図示しない暗号処理部４ａのＲＯＭに格納する。図６のスケジュールＳ１は、鍵ペアをランダムに並び替えたものであり、例えば、１番の時間帯では鍵ペアａ２と鍵ペアｂ３とを使用し、２番の時間帯では鍵ペアａ３と鍵ペアｂ２とを使用するようなスケジュールとなっている。このため、暗号処理部４ａは、所定の更新タイミングにおいて、図示しない乱数発生器の生成する乱数に基づく並び替え処理を行ってスケジュールＳ１を生成し、暗号処理部４ａ内の図示しないＲＡＭに格納する。ＣＰＵ３はこのスケジュールＳ１を暗号化したものを暗号処理部４ａから受け取って送信処理により対となる腕時計１に送信し、その受信を確認すると、暗号処理部４ａにその旨を伝え、暗号処理部４ａは次の通信からこのスケジュールＳ１を使用するように構成してある。スケジュールＳ０以外のスケジュールは所定の更新タイミングにおいて生成され、暗号処理部４ａ内の図示しないＲＡＭに格納される。
【００５２】
暗号処理部４ａは、バス３ｄを介してＣＰＵ３ａに接続され、ＣＰＵ３ａから送信データを受け取り、暗号化又は複合化して返すもので、また、ＣＰＵ３ａとの間で制御のためのデータを送受する。また、暗号処理部４ａは、外部から鍵ペアにアクセスできないように構成され、すなわち、耐タンパ性を備えるように構成される。例えば、腕時計１の製造時に暗号鍵、復号鍵を暗号処理部４ａのＲＯＭに書き込み、その後にアクセス不能に書込み、読出しのための端子を封印する。
【００５３】
なお、本実施の形態では、暗号鍵と復号鍵との鍵ペア、換言すれば、公開鍵暗号方式で暗号化及び復号化を行う構成としたが、本発明は、これに限らず、暗号化及び復号化を共通の鍵で行う共通鍵暗号方式を採用してもよい。
【００５４】
無線送受信ブロック４ｂは、４２６ＭＨｚ等の特定小電力無線の高周波数帯の電波でデータを送信し、受信するものであり、バス３ｄを介してＣＰＵ３ａと接続され、ＣＰＵ３ａからの送信データを受け取って所定の通信フォーマットで送信し、また、受信して得た受信データをＣＰＵ３ａに渡すものである。
【００５５】
次に本実施の形態の腕時計１の動作、特にＣＰＵ３ａによる制御処理ついて、図７乃至図１０のフローチャートを参照しながら説明する。図７にはＣＰＵ３ａによる全体的な制御処理を示すものであり、図８にはデータの送信処理を示しており、図９にはデータの受信処理を示してあり、図１０にはデータを受信したときの応答処理を示してあり、図１１には、鍵ペアの切替及びスケジュールの更新処理を示してある。
【００５６】
図７に示すように、ＣＰＵ３ａは、操作部２ｃからのスイッチ２ｃ１乃至２ｃ４、リューズ２ｃ２０に対する操作状態を示す操作信号の有無を監視している（ステップＳ７１）。ＣＰＵ３ａは、操作部２ｃからの操作信号を受けると、通信モードか否か判断する（ステップＳ７２）。ＣＰＵ３ａは、通信モードでなく通常モードであると判断すると、通常モードとして操作信号を解析する（ステップＳ７３）。ここでＣＰＵ３ａは、上述したように図３に示すスイッチ２ｃ１乃至２ｃ４の押下状態、リューズ２ｃ２０の回転状態等の操作状態と各種の制御処理との対応関係を特定し、対応する制御処理を実行する（ステップＳ７４）。
【００５７】
ここで、スイッチ２ｃ４が２秒以上押し下げられたと判断すると（ステップＳ７５）、ＣＰＵ３ａは通信モードのフラグをＲＡＭ３ｂに設定し、これにより、制御処理は通常モードから通信モードに切り替わる（ステップＳ７６）。
【００５８】
以上の制御処理は所定の間隔で割り込み処理される。
【００５９】
次に、ＣＰＵ３は、操作信号を受ける（ステップＳ７１）とすると、ステップＳ７２においてＣＰＵ３ａは上述の通り設定されたフラグにより通信モードであることを確認し、通信モードとして操作信号を解析する（ステップＳ７７）。
【００６０】
ここでＣＰＵ３ａは、上述したように図４に示すスイッチ２ｃ１乃至２ｃ４の押下状態、リューズ２ｃ２０の回転状態等の操作状態と各種の制御処理との対応関係を特定し、対応する制御処理を実行する（ステップＳ７８）。
【００６１】
例えば、スイッチ２ｃ１が押し下げられると、操作部２ｃからその押下げ状態を示す操作信号を受けたＣＰＵ３ａは、ＬＥＤ２ｅ１を点灯させ、この操作信号が２秒未満で途絶えるとＬＥＤ２ｅ１を消灯する。
【００６２】
これに対して、スイッチ２ｃ４が２秒以上押し下げられると、ＣＰＵ３ａは通信モードを解除するものと判断し（ステップＳ７９）、通信モードを示すフラグに代えて通常モードを示すフラグをＲＡＭ３ｂに設定し、通信モードを解除する（ステップＳ７Ａ）。
【００６３】
ここで、スイッチ２ｃ４が２秒以上押し下げられていないとすれば、ＣＰＵ３ａは、スイッチ操作に対応する制御処理により実行された表示状態を対となる腕時計１に通知するための送信処理を実行する（ステップＳ７Ｂ）。この送信処理は、図８に示すものである。
【００６４】
送信処理においてＣＰＵ３ａは操作部２ｃからの操作信号に基づき制御データを作成する（ステップＳ８１）。 例えば、スイッチ２ｃ１が２秒未満押し下げられたとすると、点灯するＬＥＤ２ｅ１、及び押下げ期間と同じだけの点灯期間を示す制御データを作成する。ＣＰＵ３ａは同様にして図４を示して上述したようにスイッチ２ｃ１乃至２ｃ４、及びリューズ２ｃ２０への操作に応じた制御処理を対となる腕時計１に反映させるための制御データを作成する。
【００６５】
次にＣＰＵ３ａは、この制御データを、腕時計１の認識番号等の認識情報を示すデータに加えて送信データとして暗号処理部４ａに送り、この送信データを暗号化させる（ステップＳ８２）。腕時計１の認識番号等の認識情報は、ＲＯＭ３ｃに製造時に書き込まれたもので、ＣＰＵ３ａはこれを読み出して使用する。暗号処理部４ａは、ＣＰＵ３ａから暗号化の指令と送信データとを受けると、この送信データを所定の暗号鍵で暗号化してＣＰＵ３ａに返送する。
【００６６】
次にＣＰＵ３ａは、暗号化された送信データを無線送受信ブロック４ｂに送り、無線送信させる（ステップＳ８３）。無線送受信ブロック４ｂはＣＰＵ３ａからの暗号化された送信データを所定の無線通信プロトコルにより送信する。
【００６７】
次にＣＰＵ３ａは、対となる腕時計１からの応答データの有無を確認し（ステップＳ８４）、応答データを受けると送信処理は成功した（ステップＳ８５）として送信処理を終了する。応答データの確認処理は、例えば次のような流れのなかで行われる。
【００６８】
腕時計１ａから腕時計１ｂに送信データを送信したとすれば、腕時計１ｂでは、無線送受信ブロック４ｂがこれを受信し、受信データに復調してＣＰＵ３ａに送る。ここで、ＣＰＵ３ａは図９に示す受信処理を行う。ＣＰＵ３ａは受信データを受ける（ステップＳ９１）と、暗号処理部４ａに送り受信データを復号させる（ステップＳ９２）。暗号処理部４ａは、ＣＰＵ３ａから復号化の指令と受信データとを受け取ると、所定の復号鍵で受信データを復号化してＣＰＵ３ａに返送する。ＣＰＵ３ａは、復号化された受信データに、対となる腕時計１ａの認識情報や適当な制御データ等が含まれていることを確認すると、復号化が成功したとする（ステップＳ９３）。
【００６９】
ＣＰＵ３ａは、復号化が成功すると図１０に示す応答処理を行う（ステップＳ９４）。応答処理では、ＣＰＵ３ａは復号化された受信データが相手側からの応答を示す応答データであるか否か確認する（ステップＳ１０１）。ここで、ＣＰＵ３ａは相手側からの応答を示す応答データであれば、これを確認して応答処理を終了する。ＣＰＵ３ａは、応答データでなければ、応答する側として、応答データを生成する（ステップＳ１０２）。ＣＰＵ３ａは、自己の認識情報、ここでは、腕時計１ｂの認識情報を示すデータに、復号化された制御データが適当なものか否かを示すデータに加えて応答データとする。ＣＰＵ３ａは、応答データを暗号処理部４ａに送り、この応答データを暗号化させる（ステップＳ１０３）。暗号処理部４ａは、ＣＰＵ３ａから暗号化の指令と送信データとを受けると、この送信データを所定の暗号鍵で暗号化してＣＰＵ３ａに返送する。
【００７０】
次にＣＰＵ３ａは、暗号化された応答データを無線送受信ブロック４ｂに送り、無線送信させ（ステップＳ１０４）、応答処理を終了する。
【００７１】
なお、ここでは、ＣＰＵ３ａは、ステップＳ１０１において、応答データを受けた場合に応答処理を終了することとしてあるが、応答データに対する再度の応答データを送信するように構成することも可能である。
【００７２】
応答処理の終了により受信処理も終了する。
【００７３】
送信側の腕時計１、ここでは、腕時計１ａでも同様に無線送受信ブロック４ｂにより応答データを受信し、図９に示す受信処理、図１０に示す応答処理により応答データが取得され、図８に示す送信処理のステップＳ８４においてこれを確認するとステップＳ８５において送信成功として送信処理を終了する。ＣＰＵ３ａは、ステップＳ８４で応答データを確認できないときには、送信データの再度の送信回数を確認し（ステップＳ８６）、ステップＳ８３の処理に戻って送信データを送信させる。ステップＳ８３乃至８６の処理を繰り返し、ステップＳ８５で所定の送信回数に達すると、送信データが対となる腕時計１に受信されず、送信処理が失敗に終わったとし（ステップＳ８７）、送信処理を終了する。ＣＰＵ３ａは、ステップＳ８６において送信失敗の処理として、例えば、表示部２ｅのＬＥＤ２ｅ１乃至２ｅ３にその旨を示すパターンの点滅をさせるようにしてもよいし、また、同様にステップＳ８５において送信成功の処理として表示部２ｅのＬＥＤ２ｅ１乃至２ｅ３にその旨を示すパターンの点滅をさせるようにしてもよい。また、送信の成否は、表示部２ｅのＬＥＤによる表示に限らず、報音部２ｆ１による報音や振動部２ｆ２の振動によって示すようにしてもよい。
【００７４】
また、ＣＰＵ３ａは、送信処理を終了すると、図７の割り込み処理を終了する。
【００７５】
また、ＣＰＵ３ａは、図７のステップＳ７１において、スイッチ操作に応じた操作信号が確認されないときには、受信データの有無を確認する（ステップＳ７Ｃ）。ＣＰＵ３ａは、無線送受信ブロック４ｂから受信データを受け取ると、上述の図９の受信処理により、制御データを取得する（ステップＳ７Ｄ）。次にＣＰＵ３ａは、取得した制御データに基づく処理を実行する（ステップＳ７Ｅ）。
【００７６】
例えば、送信側の腕時計１ｂで、スイッチ２ｃ１が２秒未満押し下げられたとすると、腕時計１ａのＣＰＵ３ａは、点灯するＬＥＤ２ｅ１、及び押下げ期間と同じだけの点灯期間を示す制御データを受け取る。この場合、ＣＰＵ３ａは、制御データに基づいてＬＥＤ２ｅ１を制御データの指定する点灯期間だけ点灯させる。
【００７７】
また、例えば、送信側の腕時計１ｂで、スイッチ２ｃ１とスイッチ2ｃ３とが同時に２秒以上３秒未満押し下げられたとすると、腕時計１ａのＣＰＵ３ａは、点滅するＬＥＤ２ｅ１、２ｅ３、及び押下げ期間と同じだけの点滅期間を示す制御データを受け取る。この場合、ＣＰＵ３ａは、制御データに基づいてＬＥＤ２ｅ１とＬＥＤ２ｅ１とを制御データの指定する点滅期間だけ点滅させる。
【００７８】
また、例えば、腕時計１ｂからリューズを操作して設定された時刻を含む制御データが送信されたときには、腕時計１ａのＣＰＵ３ａは、時計機械体２ａを制御して受信した制御データの指定する時刻を示すように時針、分針を移動させ、所定の期間その時刻を表示させる。ＣＰＵ３ａは、所定の期間の経過後に時計機械体２ａを制御してＲＴＣ２ｂの計時する現在の時刻を示すように時針、分針を移動させ、運針を再開させる。
【００７９】
また、例えば、腕時計１ｂからリューズを操作して選択されたアラーム音の番号を含む制御データが送信されたときには、腕時計１ａのＣＰＵ３ａは、報音部２ｆ１を制御して受信した制御データに含まれる番号のアラーム音を所定の期間報音させる。
【００８０】
例えば、送信側の腕時計１ｂで、スイッチ２ｃ４が２秒未満押し下げられたとすると、腕時計１ａのＣＰＵ３ａは、振動部２ｆ２の振動を指令する制御データを受け取る。この場合、ＣＰＵ３ａは、制御データに基づいて振動部２ｆ２を振動させる。
【００８１】
同様にしてＣＰＵ３ａは、制御データに基づいて図４を示して上述したようにスイッチ２ｃ１乃至２ｃ４、及びリューズ２ｃ２０への操作に応じた制御処理を実行する。
【００８２】
また、ＣＰＵ３ａは、制御データに基づく制御処理に続き、通信モードか否かを確認しており（ステップＳ７Ｆ）、通信モードでなく通常モードであれば、ステップＳ７６と同様に通信モードに切り換える処理を行い（ステップＳ７Ｇ）、図７の割り込み処理を終了する。ここで、ＣＰＵ３ａは、通信モードに切り替わったときには、振動部２ｆ２に所定のパターンによる振動動作をさせる。これにより、腕時計１の使用者は通信モードとなったことを知ることができ、換言すれば、対となる腕時計１を装着した相手から呼び出しがあったことを知ることができる。
【００８３】
ＣＰＵ３ａは、ステップＳ７Ｆにおいて、通信モードを確認するとそのままこの割り込み処理を終了する。
【００８４】
以上のように、腕時計１ａ、１ｂは、互いの認識情報により一対一に対応した通信が可能となっており、スイッチ操作に応じてＬＥＤ２ｅ１乃至２ｅ３の点灯表示の状態や、時針及び分針による時刻表示の状態や、アラーム音の報音の状態を互いに通知しあうことが可能な構成となっている。
【００８５】
これにより、腕時計１ａ、１ｂでは、互いに唯一に対応付けられているという技術的保証を確保することができる。また、腕時計１ａ、１ｂは、簡単な操作により任意の情報を通知可能な構成となっている。また、その通信は暗号化されているため、秘匿性の高い情報通信をも可能としている。このように本発明によれば、高付加価値の一対の腕時計を提供することが可能となっている。
【００８６】
次に図１１を参照しながら鍵ペア及びスケジュールの更新処理について説明する。ＣＰＵ３ａは、所定の時刻にスケジュールの更新をさせるため、ＲＴＣ２ｂの時刻を監視する（ステップＳ１１１）。この更新のための時刻は、腕時計１ａ、１ｂのいずれか一方に設定してもよいし、互いの更新のための時刻が１２時間ずれるように設定する等、適宜定めて、ＲＯＭ３ｃに設定される。ＣＰＵ３ａは、この更新のための時刻となると、暗号処理部４ａにスケジュールの更新を実行させる（ステップＳ１１２）。ＣＰＵ３ａからの更新の指令を受けた暗号処理部４ａは、図６に示すように、初期設定されたスケジュールＳ０の時間帯毎に使用する鍵ペアを並び替えて新たなスケジュール、例えば、スケジュールＳ１を生成する。暗号処理部４ａは、時間帯毎に使用する鍵ペアの並びを示す新たなスケジュールＳ１を、前回のスケジュール例えば、スケジュールＳ０の現在の時間帯の鍵ペアの暗号鍵で暗号化してＣＰＵ３ａに送る。
【００８７】
ＣＰＵ３ａは、暗号化された新たなスケジュールＳ１を無線送受信ブロック４ｂに送って無線送信させる（ステップＳ１１３）。続いてＣＰＵ３ａは、対となる腕時計１からの応答データを待つ（ステップＳ１１４）。対となる腕時計１において、上述の受信処理により暗号化されたスケジュールＳ１が復号化されると、上述の応答処理により応答データが送信される。ＣＰＵ３ａは、この応答データを上述の受信処理、応答処理により取得すると、新たなスケジュールＳ１の送信に成功したとして、暗号処理部４ａに次回から新たなスケジュールＳ１に基づいて選択される鍵ペアにより暗号化または復号化処理を実行するように指令し、スケジュールの更新を確定する（ステップＳ１１５）。
【００８８】
また、ＣＰＵ３ａは、ステップＳ１１１の処理で更新タイミングでないと判断した場合、対となる腕時計1で生成された新たなスケジュールを受信したか否かを監視している（ステップＳ１１６）。ここで、ＣＰＵ３ａは、上述の受信処理による暗号化されたスケジュールの復号化がなると、上述の応答処理により応答データを送信させ（ステップＳ１１７）、暗号処理部４ａに次回から復号化したスケジュールに基づいて選択される鍵ペアにより暗号化または復号化処理を実行するように指令し、スケジュールの更新を確定する（ステップＳ１１８）。
【００８９】
また、ＣＰＵ３ａは、ステップＳ１１６の処理で新たなスケジュールを受信していないと判断した場合、ＲＴＣ２ｂの時刻を監視して時間帯が切り替わりか否か、言い換えれば、鍵ペアの切替のタイミングか否かを判断する（ステップＳ１１９）。 例えば、時間帯は２４時間を鍵ペアの数ｉで分割して定めてあり、その切り替わりの時刻となると、ＣＰＵ３ａは、暗号処理部４ａに鍵ペアの切替の指令を送る（ステップＳ１１Ａ）。暗号処理部４ａはスケジュールの現在の鍵ペアの次の鍵ペアを次回使用する鍵ペアとして設定する。
【００９０】
以上のように、腕時計１は、定期的に鍵ペアを切替ることにより、特定の暗号鍵での通信の機会を分散させて、鍵ペアの漏洩を防ぐようにしてある。また、定期的に鍵ペアの使用のスケジュールを更新することにより、さらに、特定の暗号鍵での通信の機会を乱数的に分散させて、鍵ペアの漏洩を防ぐようにしてある。これにより、対となる腕時計１ａ、１ｂ間では、秘匿性の高い情報通信が可能となっている。
【００９１】
また、腕時計１の内部時計の時刻は、電波修正時計の機能によって標準時に高精度に同期されて、この時刻に基づいて鍵ペアを更新することにより、対となる腕時計１ａ、１ｂ間において使用する鍵ペアを常に一致させることが可能となっている。
【００９２】
なお、本実施の形態の腕時計１では、ＣＰＵ３ａが鍵ペアの切替、スケジュールの更新を暗号処理部４ａに指示するように構成したが、暗号処理部４ａの内部に内部時刻を取得して鍵ペアの切替やスケジュール更新を制御する制御部を設けるように構成してもよい。
【００９３】
また、本実施の形態の腕時計１では、製造時に、自己及び自己と対になる腕時計の識別情報をＲＯＭ３ｃに書込み、暗号鍵及び復号鍵を暗号処理部４ａのＲＯＭに書き込むこととしたが、本発明はこれに限らず、書換え可能としても良い。例えば、腕時計１ａ、1ｂに外部インターフェース回路を設けてパーソナルコンピュータと接続可能とし、パーソナルコンピュータと暗号処理部４ａとの間で暗号鍵及び復号鍵の通信を可能とし、パーソナルコンピュータに識別情報、暗号鍵及び復号鍵の生成及び書換え用のソフトを設ける。そして、パーソナルコンピュータで識別情報、暗号鍵及び復号鍵を生成し、腕時計１ａ、1ｂを順次パーソナルコンピュータに接続して識別情報、暗号鍵及び復号鍵を書き込むようにすればよい。また、パーソナルコンピュータには、識別情報、暗号鍵及び復号鍵の読出し、書込み、及びネットワークを介して識別情報、暗号鍵及び復号鍵の管理サーバに接続するためのソフトを設けて、管理サーバからダウンロードした識別情報、暗号鍵及び復号鍵をパーソナルコンピュータを介して腕時計１ａ、1ｂに書き込むようにしてもよい。
【００９４】
以上のように本発明によれば、一対の腕時計が互いに唯一に対応付けられているという技術的保証を確保することができるとともに、そのような、腕時計間で簡単な操作により任意の意思疎通が可能な秘匿性の高い情報通信が可能となり、ひいては、高付加価値の一対の腕時計を提供することが可能となる。
【図面の簡単な説明】
【００９５】
【図１】本発明の実施の形態にかかる腕時計の回路構成を示すブロック図である。
【図２】図１に示す腕時計の外観を示す模式図である。
【図３】図１に示す腕時計の通常モードでのスイッチに対する操作と、これに応答する報知機能等の機能と、の対応を示す対応表である。
【図４】図１に示す腕時計の通信モードでのスイッチに対する操作と、これに応答する報知機能等の機能と、の対応を示す対応表である。
【図５】図１に示す腕時計の対、腕時計１ａ、１ｂにおける鍵ペアの格納状況を説明するための対応表である。
【図６】図１に示す腕時計の鍵ペアの切替のスケジュールを説明するための対応表である。
【図７】図１に示す腕時計の制御処理の概要を示すフローチャートである。
【図８】図１に示す腕時計の制御処理、特に送信処理の概要を示すフローチャートである。
【図９】図１に示す腕時計の制御処理、特に受信処理の概要を示すフローチャートである。
【図１０】図１に示す腕時計の制御処理、特に応答処理の概要を示すフローチャートである。
【図１１】図１に示す腕時計の制御処理、特に鍵ペアの切替処理の概要を示すフローチャートである。
【符号の説明】
【００９６】
１、１ａ、１ｂ    腕時計
２ｃ    操作部
２ｅ    表示部
４ｂ    無線送受信ブロック（通信部）
３ｃ    ＲＯＭ(記憶部)
４ａ    暗号処理部
【図１】
2008215987.tif 000003
【図２】
2008215987.tif 000004
【図３】
2008215987.tif 000005
【図４】
2008215987.tif 000006
【図５】
2008215987.tif 000007
【図６】
2008215987.tif 000008
【図７】
2008215987.tif 000009
【図８】
2008215987.tif 000010
【図９】
2008215987.tif 000011
【図１０】
2008215987.tif 000012
【図１１】
2008215987.tif 000013